(57)【要約】無線通信部を設けた可搬型のＦＰＤを用いる放射線画像撮影システムにおいて、撮影室間を移動する際にＦＰＤとコンソールとの対応付けを容易に変更可能な放射線画像撮影システムを提供することを課題とする。  そのためには、放射線画像検出装置６で取得された放射線画像データを無線通信で送信する無線通信手段と、前記無線通信手段で送信されるデータに通信情報を付加する通信情報付加手段と、放射線照射装置６を備えた撮影室の所定領域内で前記無線通信手段と無線通信で受信した放射線画像データをネットワークＮに転送する、制御端末７と予め対応付けられたアクセスポイント５と、前記通信情報付加手段で付加された通信情報に基づいて、放射線画像検出装置６と制御端末７との対応付けを行う対応付け制御部を有する放射線画像撮影システムとする。
2009031411.tif 000002
【特許請求の範囲】
【請求項１】
放射線照射装置からの放射線に基づいて放射線画像データを取得する可搬型の放射線画像検出装置と、
前記放射線画像検出装置で取得された放射線画像データを表示する複数の制御端末と、
を有し、それぞれの前記制御端末がネットワークにより互いに接続された放射線画像撮影システムであって、
前記放射線画像検出装置で取得された放射線画像データを無線通信で送信する無線通信手段と、
前記無線通信手段で送信されるデータに通信情報を付加する通信情報付加手段と、
前記放射線照射装置を備えた撮影室の所定領域内で前記無線通信手段により無線通信で受信した放射線画像データを前記ネットワークに転送する、前記制御端末と予め対応付けられたアクセスポイントと、
前記通信情報付加手段で付加された通信情報に基づいて、前記放射線画像検出装置と前記制御端末との対応付けを行う対応付け制御部を有することを特徴とする放射線画像撮影システム。
【請求項２】
前記通信情報は通信経路情報であることを特徴とする請求の範囲第１項に記載の放射線画像撮影システム。
【請求項３】
前記無線通信は無線ＬＡＮであり、前記アクセスポイントに対応したルータを配置し、前記アクセスポイントにはそれぞれ異なるネットワークアドレスが割り当てられており、
前記通信情報は前記放射線画像検出装置のネットワークアドレス情報であることを特徴とする請求の範囲第１項に記載の放射線画像撮影システム。
【請求項４】
前記アクセスポイントで受信した無線通信の電波強度を測定する電波強度測定部を有し、
前記対応付け制御部は、前記電波強度測定部で測定した前記放射線画像検出装置と前記アクセスポイントとの無線通信の電波強度情報に基づいて前記放射線画像検出装置と前記制御端末との対応付けを行うことを特徴とする請求の範囲第１項乃至第３項のいずれか１項に記載の放射線画像撮影システム。
【請求項５】
前記放射線画像検出装置固有の撮影感度情報を記憶する撮影感度記憶部を有し、
前記放射線画像検出装置は識別ＩＤが付与されており、前記撮影感度記憶部に記憶している該識別ＩＤと関連づけられた撮影感度情報に基づいて、取得した放射線画像データを補正することを特徴とする請求の範囲第１項乃至第４項のいずれか１項に記載の放射線画像撮影システム。
【発明の詳細な説明】
【技術分野】
【０００１】
本発明は放射線画像撮影システムに関し、無線通信を行う可搬型の放射線画像検出装置を用いる放射線画像撮影システムに関する。
【背景技術】
【０００２】
近年、被検体に放射線を照射し、被検体を透過した放射線を検出して放射線画像を得る方法として、デジタル方式の放射線画像検出装置が用いられている。このような放射線画像検出装置としては、いわゆるＦＰＤ（Ｆｌａｔ  Ｐａｎｅｌ  Ｄｅｔｅｃｔｏｒ）がある。【０００３】
ＦＰＤの一例としては、基板上に複数の検出素子を２次元的に配列し、被検体を透過した放射線が蛍光体（シンチレータ）に照射され、照射された放射線量に応じて発光する可視光を検出素子により電荷に変換してコンデンサに蓄積し、コンデンサに蓄積した電荷を読み出すことにより放射線画像を得るものがある。このようなＦＰＤは撮影直後に放射線画像を得られるという即時性を有している。【０００４】
また、半導体製造技術の向上により小型、薄型化が図られており、更に、特許文献１においては、このような薄型ＦＰＤと無線通信可能な通信手段を有したＸ線撮像装置が開示されている。【０００５】
一方、情報利用の利便性や各種処理の迅速性の観点から、患者診断情報や会計情報を一元管理するシステムとしてＨＩＳ（Ｈｏｓｐｉｔａｌ  Ｉｎｆｏｒｍａｔｉｏｎ  Ｓｙｓｔｅｍ）や、放射線科内の撮影オーダ等を管理するシステムとしてＲＩＳ（Ｒａｄｉｏｌｏｇｙ  Ｉｎｆｏｒｍａｔｉｏｎ  Ｓｙｓｔｅｍ）等が導入されている。これらにおいては、各種の放射線画像撮影装置や撮影装置の制御端末等は、病院内に配置されたＬＡＮ（Ｌｏｃａｌ  Ａｒｅａ  Ｎｅｔｗｏｒｋ）等のネットワークを介してＲＩＳやＨＩＳと接続されている。【０００６】
特許文献２においては、このような病院内のネットワークに、複数のコンソール（制御端末）と通信機能を備えた複数のＦＰＤとを接続させた放射線画像撮影システムが開示されている。特許文献２に記載の放射線画像撮影システムは、放射線技師や医師等の操作者による画像確認の効率を向上させるために、撮影前に予めコンソールとＦＰＤを対応付けておき、撮影後に、予め対応付けられたコンソールにＦＰＤで取得した放射線画像を送信するものである。【０００７】
特許文献３においては、無線通信部を設けた可搬のカセッテ型ＦＰＤ（以下、可搬型のＦＰＤという）と撮影室に配置した無線中継器を用いて、複数のコンソールと複数のＦＰＤを接続させた放射線画像撮影システムが開示されている。特許文献３に記載の放射線画像撮影システムでは、ＦＰＤで撮影する際に、画像データに撮影を行った操作者ＩＤが対応付けられる。そして撮影者は、放射線撮影により得た画像を表示するコンソールを操作する際に操作者ＩＤを登録し、ＦＰＤは、その登録した操作者ＩＤと一致する操作者ＩＤと対応付けられた画像データを当該コンソールに送信するものである。このようにすることにより撮影者が、複数のコンソール間を移動しながら繰り返し撮影を行うような場合でも、放射線撮影により得た画像データを、撮影者が現在使用しているコンソールで確認できるため、放射線撮影の撮影効率が高められる。
【特許文献１】特開２００４−１８０９３１号公報
【特許文献２】国際公開第０６／１０９５５１号パンフレット
【特許文献３】国際公開第０５／０９６９４４号パンフレット
【発明の開示】
【発明が解決しようとする課題】
【０００８】
特許文献２又は特許文献３に記載の放射線画像撮影システムにおいては、撮影時にＦＰＤは撮影室に設けられたコンソールと対応付けしておく必要がある。【０００９】
コンソールと対応付けを行う理由としては、画像確認の効率以外にも画像補正のための撮影感度情報を対応付けしたコンソールに予め保存しておくことで、画像補正を迅速に行う目的及び撮影に使用するＸ線発生装置と撮影タイミングに関係する同期をとる目的もある。【００１０】
しかし無線通信部を設けた可搬型のＦＰＤにおいて、複数の撮影室間を移動させて使用するような場合がある。例えば、撮影室にひとつしかないＦＰＤが故障した場合に他の撮影室からバックアップ用ＦＰＤを移動させる場合、通常は可搬型ＦＰＤを配置していない撮影室で緊急の理由により可搬型ＦＰＤで撮影を行いたい場合などである。このような場合には、対応付け関係を変更しないかぎり、移動先の撮影室のコンソールではなく、移動元の撮影室のコンソールとの対応付けが維持され撮影者が撮影に用いるコンソールに対応付けられたＦＰＤとは異なる撮影室に存在することになり、このような状態で撮影を行った場合には、実際の画像取得は行われず無駄被爆が発生することになる。【００１１】
対応付け関係を移動元の撮影室のコンソールから移動先の撮影室のコンソールに変更する場合には、以下の方法が考えられる。
（１）無線通信を利用し、一方のコンソールを用いて移動元と移動先のコンソール情報の設定する。
（２）可搬型ＦＰＤに設定変更用の別の設定手段を設け、これを使用する。例えば、有線通信でコンソールと接続する手段、制御に用いるものとは別の無線通信手段などがある。画像補正のための撮影感度情報についても、ネットワークまたは何らかの記録媒体を用いて、手動で移動先コンソールに移動させる必要がある。しかしながら、いずれの方法でも一旦何らかの方法で、人手を介した設定を行わなければならず、その設定が煩わしいという問題がある。【００１２】
本願発明は上記問題に鑑み、無線通信部を設けた可搬型のＦＰＤを用いる放射線画像撮影システムにおいて、撮影室間を移動する際にＦＰＤとコンソールとの対応付けを容易に変更可能な放射線画像撮影システムを提供することを目的とする。
【課題を解決するための手段】
【００１３】
上記の目的は、下記に記載する発明により達成される。【００１４】
（１）放射線照射装置からの放射線に基づいて放射線画像データを取得する可搬型の放射線画像検出装置と、
前記放射線画像検出装置で取得された放射線画像データを表示する複数の制御端末と、
を有し、それぞれの前記制御端末がネットワークにより互いに接続された放射線画像撮影システムであって、
前記放射線画像検出装置で取得された放射線画像データを無線通信で送信する無線通信手段と、
前記無線通信手段で送信されるデータに通信情報を付加する通信情報付加手段と、
前記放射線照射装置を備えた撮影室の所定領域内で前記無線通信手段により無線通信で受信した放射線画像データを前記ネットワークに転送する、前記制御端末と予め対応付けられたアクセスポイントと、
前記通信情報付加手段で付加された通信情報に基づいて、前記放射線画像検出装置と前記制御端末との対応付けを行う対応付け制御部を有することを特徴とする放射線画像撮影システム。【００１５】
（２）前記通信情報は通信経路情報であることを特徴とする（１）に記載の放射線画像撮影システム。【００１６】
（３）前記無線通信は無線ＬＡＮであり、前記アクセスポイントに対応したルータを配置し、前記アクセスポイントにはそれぞれ異なるネットワークアドレスが割り当てられており、
前記通信情報は前記放射線画像検出装置のネットワークアドレス情報であることを特徴とする（１）に記載の放射線画像撮影システム。【００１７】
（４）前記アクセスポイントで受信した無線通信の電波強度を測定する電波強度測定部を有し、
前記対応付け制御部は、前記電波強度測定部で測定した前記放射線画像検出装置と前記アクセスポイントとの無線通信の電波強度情報に基づいて前記放射線画像検出装置と前記制御端末との対応付けを行うことを特徴とする（１）乃至（３）のいずれかに記載の放射線画像撮影システム。【００１８】
（５）前記放射線画像検出装置固有の撮影感度情報を記憶する撮影感度記憶部を有し、前記放射線画像検出装置は識別ＩＤが付与されており、前記撮影感度記憶部に記憶している該識別ＩＤと関連づけられた撮影感度情報に基づいて、取得した放射線画像データを補正することを特徴とする（１）乃至（４）のいずれかに記載の放射線画像撮影システム。
【発明の効果】
【００１９】
本発明によれば、無線通信部を設けた可搬型のＦＰＤを用いる放射線画像撮影システムにおいて、撮影室間を移動する際にＦＰＤとコンソールとの対応付けを容易に変更可能な放射線画像撮影システムを提供することが可能となる。
【図面の簡単な説明】
【００２０】
【図１】本実施形態における放射線画像撮影システム１の概略構成を示す図である。
【図２】コンソール７の要部構成を示すブロック図である。
【図３】放射線画像検出装置６の要部構成を示すブロック図である。
【図４】本実施形態における放射線画像撮影システムのデータの流れを説明する図である。
【図５】本実施形態における放射線画像撮影システムの制御フローを説明する図である。
【図６】コンソール７の表示部１７の詳細図である。
【図７】図５の制御フローに続く制御フローを説明する図である。
【図８】本実施形態における放射線画像撮影システムのデータの流れを説明する図である。
【図９】本実施形態における放射線画像撮影システムの制御フローを説明する図である。
【符号の説明】
【００２１】
１  放射線画像撮影システム
２  管理サーバ（対応付け制御部）
３  放射線照射装置
４  撮影操作装置
６  放射線画像検出装置（ＦＰＤ）
５、５ａ、５ｂ  アクセスポイント
７、７ａ、７ｂ  コンソール（制御端末）
９、９ａ、９ｂ  ルータ
２１  データベース
【発明を実施するための最良の形態】
【００２２】
本発明を実施の形態に基づいて説明するが、本発明は該実施の形態に限られない。【００２３】
図１は、本実施形態における放射線画像撮影システム１の概略構成を示す図である。【００２４】
放射線画像撮影システム１は、図１に示すように、放射線撮影に関する情報を管理する管理サーバ２と、放射線撮影に関する操作を行う撮影操作装置４と、例えば無線ＬＡＮ（Ｌｏｃａｌ  Ａｒｅａ  Ｎｅｔｗｏｒｋ）により無線通信を行うためのアクセスポイント５と、放射線画像検出装置６により生成された放射線画像データに画像処理を行うコンソール７（制御端末）とがネットワークＮを通じて接続されて構成されている。なお、ここでは図示してないが、放射線画像撮影システム１は、患者診断情報や会計情報を一元管理するＨＩＳ（Ｈｏｓｐｉｔａｌ  Ｉｎｆｏｒｍａｔｉｏｎ  Ｓｙｓｔｅｍ）や放射線診療の情報を管理するＲＩＳ（Ｒａｄｉｏｌｏｇｙ  Ｉｎｆｏｒｍａｔｉｏｎ  Ｓｙｓｔｅｍ）とネットワークＮを介して接続されている。ネットワークＮは、当該システム専用の通信回線であってもよいが、システム構成の自由度が低くなってしまう等の理由のため、イーサネット（登録商標）等の既存の回線である方が好ましい。【００２５】
１００ａ、１００ｂは撮影室である。撮影室１００ａと撮影室１００ｂは同様の構成をしており、以下これらを単に撮影室１００とも称して説明する。撮影室１００にはそれぞれ放射線照射装置３、撮影操作装置４、無線通信を行うアクセスポイント５、当該アクセスポイントと接続されているルータ９を備えている。なお当該ルータ９には、例えばＲＦＣ１５４１準拠のＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバ機能を担わせている。【００２６】
ルータ９により撮影室１００ａ、撮影室１００ｂ、及びその他の院内ネットワークは、それぞれサブネットワークのＬＡＮ１、ＬＡＮ２、ＬＡＮ３を構成する。【００２７】
コンソール７ａは撮影室１００ａのアクセスポイント５ａに、コンソール７ｂは撮影室１００ｂのアクセスポイント５ｂにそれぞれ対応付けられている。【００２８】
放射線照射装置３は、臥位撮影台１１に横たわっている被写体である患者１２に対して放射線を照射するようになっており、臥位撮影台１１の下方には、放射線画像検出装置６を装着する検出装置装着口１１ａが設けられている。放射線照射装置３は、撮影操作装置４により制御されて所定の撮影条件で放射線撮影を行うようになっている。なお放射線照射装置３と検出装置装着口１１ａに装着した放射線画像検出装置６との撮影タイミングの同期は、両者間でアクセスポイント５を経由した無線通信により行うようにしてもよい。【００２９】
アクセスポイント５は、放射線照射装置３を備えた撮影室の所定領域内で放射線画像検出装置６とコンソール７とが無線通信する際に、これらの通信を中継する機能をもつ。なお、無線通信としては無線ＬＡＮ（例えば、ＩＥＥＥ８０２．１１ａ／ｂ／ｆ準拠の通信方式）により行う例について説明するが、これに限られず、電波（空間波）を用いるものの他に、赤外線や可視光線等（レーザー等）を用いた光無線通信（例えば、ＩｒＤＡ）、音波または超音波を用いた音響通信により無線通信するようにしてもよい。【００３０】
また各アクセスポイントにはそれぞれ異なるサブネットワークに属しており、それぞれ異なるネットワークアドレスが割り当てられている。また各アクセスポイントには放射線画像検出装置６等の端末から受信した電波強度を測定する電波強度測定部（不図示）を備えており、電波強度の情報を当該端末に送信することが可能である。【００３１】
［管理サーバ］
管理サーバ２はコンピュータで構成されており、管理サーバ２を構成する各部を制御する制御部、各種情報やユーザの指示を入力する入力操作部、及び、各種情報を記憶する記憶装置等が設けられている（いずれも図示しない）。本実施形態においては、管理サーバ２が「対応付け制御部」として機能する。対応付けについての詳細は後述する。【００３２】
管理サーバ２には、データベース２１が接続されている。データベース２１は、「撮影感度記憶部」として機能し、当該データベース２１にはそれぞれの放射線画像検出装置６固有の撮影感度情報として後述の識別ＩＤと対応付けられた撮影感度テーブルを記憶している。ここでいう撮影感度情報とは、放射線の入射エネルギーを電気信号に返還した際の、ゲイン及びオフセットに加え、入射エネルギーに対しての感度が所定値より低いまたは非線形な特性を有する欠陥画素の位置情報を含む情報のことである。【００３３】
なお前述の説明においては、ルータ９がＤＨＣＰ機能を有する例について説明したが、当該管理サーバ２をＤＨＣＰサーバとしても機能するようにしてもよい。【００３４】
［コンソール］
図２は、コンソール７の要部構成を示すブロック図である。コンソール７は、図２に示すように、制御部１４、ＲＡＭ（Ｒａｎｄｏｍ  Ａｃｃｅｓｓ  Ｍｅｍｏｒｙ）１５、ＲＯＭ（Ｒｅａｄ  Ｏｎｌｙ  Ｍｅｍｏｒｙ）１６、表示部１７、入力操作部１８、通信部１９、画像記憶部２０等を備えて構成されており、各部はバス２１により接続されている。本実施形態においては、前記のように複数のコンソール７ａ、７ｂがネットワークＮに接続されており、各コンソール７ａ、７ｂには、例えばコンソール７ａ、７ｂを識別するための識別情報としてコンソールＩＤが付されている。【００３５】
表示部１７は、例えば、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等を備えて構成され、制御部１４から送られる表示信号の指示に従って、前記患者リスト、各種のメッセージや画像等、各種画面を表示するものである。【００３６】
入力操作部１８は、例えば、キーボードやマウス等から構成されており、キーボードで押下操作されたキーの押下信号やマウスによる操作信号を入力信号として制御部１４に対して出力するものである。なお、入力操作部１８は、前記表示部１７の表示画面を覆う透明なシートパネルに、指又は専用のスタイラスペンで触れることにより入力される位置情報を入力信号として制御部１４に出力する、いわゆる、タッチパネルにより構成されていてもよい。【００３７】
特に、本実施形態に係る放射線画像撮影システム１においては、入力操作部１８は、放射線撮影を行う患者情報や撮影情報等の入力及び、対応付けを行う際に放射線画像検出装置６の識別ＩＤ等を表示し、更にその際に対応付け確認画面指示を入力するようにしてもよい。ここで識別ＩＤとは、放射線画像検出装置６を識別するために各放射線画像検出装置６に付される放射線画像検出装置６の識別情報である。【００３８】
放射線画像検出装置６の識別情報を入力するコンソール７は、例えば、当該放射線画像検出装置６が設置された撮影室１００に対応するコンソール７である。撮影室１００を管理するコンソール７が設置される位置は特に限定されないが、当該撮影室１００や撮影操作装置４に最も近い位置に設置されているコンソール７であることが好ましい。このようにすることにより、操作者が患者１２の撮影を行う際、撮影室１００や撮影操作装置４に近い位置から撮影室１００内の放射線画像検出装置６の操作等を行うことが可能となる。【００３９】
また、前記表示部１７には、前記入力操作部１８から入力された患者情報、撮影情報等に基づいて作成された患者リストが表示され、入力操作部１８は、この患者リストの中から撮影を行う患者やその撮影部位等を選択可能となっている。また、コンソール７に対応付けられている放射線画像検出装置６が複数ある場合には、入力操作部１８は、そのうちいずれの放射線画像検出装置６によって撮影を行うかを選択可能となっている。これにより、患者をどの放射線画像検出装置６によって撮影するかの設定が行われる。なお、前記設定が行われると、その情報を管理サーバ２に送信し、当該管理サーバ２の指示により他のコンソール７では患者リスト上で当該患者を選択することができなくなるようにしてもよい。【００４０】
また、入力操作部１８は、所定操作に基づいて放射線画像検出装置６による検出結果により得られた放射線画像データの転送指示に係る信号を制御部１４に対して出力する。本実施形態においては、撮影によって得られた放射線画像データは、撮影に使用された放射線画像検出装置６と対応付けられ撮影の際に放射線画像検出装置６を操作したコンソール７に転送され、コンソール７の制御部１４において、前記撮影前の設定の際に患者リストから選択された患者の患者情報や撮影情報等と対応付けられる。患者情報や撮影情報等と対応付けられた放射線画像データは、必要に応じて画像記憶部２０に保存され、又は管理サーバ２等の外部装置に転送される。【００４１】
また、入力操作部１８は、放射線技師が放射線画像検出装置６による被写体像が適正に検出されているか否か及び再撮影の要否の判断を行った場合に、その判断結果を入力する。入力された結果は、電気信号として制御部１４に出力される。【００４２】
通信部１９によりネットワークＮと通信する。当該通信部１９によりアクセスポイント５を介して無線ＬＡＮ等の無線通信方式により放射線画像検出装置６との間で各種情報の通信を行うものである。【００４３】
制御部１４は、ＣＰＵ（Ｃｅｎｔｒａｌ  Ｐｒｏｃｅｓｓｉｎｇ  Ｕｎｉｔ）等から構成され、ＲＯＭ１６に格納される所定のプログラムを読み出してＲＡＭ１５の作業領域に展開し、当該プログラムに従って各種処理を実行するように構成されている。【００４４】
［放射線画像検出装置］
放射線画像検出装置６は、放射線照射装置３から照射されて患者１２を透過した放射線を検出することにより放射線画像データを取得するものであり、カセッテにフラットパネルディテクタ（Ｆｌａｔ  Ｐａｎｅｌ  Ｄｅｔｅｃｔｏｒ：ＦＰＤ）とも呼ばれる撮像パネルが収容されてなる可搬型のカセッテＦＰＤ装置である。【００４５】
図３は、放射線画像検出装置６の要部構成を示すブロック図である。図３に示すように、放射線画像検出装置６の制御系は、制御部６０、撮像パネル６２、画像記憶部６６、電源部６７、ＲＯＭ８１、ＲＡＭ８２、通信部８３等を備え、各部はバス８４により接続されている。【００４６】
制御部６０は、例えば、ＣＰＵ（Ｃｅｎｔｒａｌ  Ｐｒｏｃｅｓｓｉｎｇ  Ｕｎｉｔ）等から構成され、ＲＯＭ（Ｒｅａｄ  Ｏｎｌｙ  Ｍｅｍｏｒｙ）８１に記憶されている制御プログラムを読み出してＲＡＭ（Ｒａｎｄｏｍ  Ａｃｃｅｓｓ  Ｍｅｍｏｒｙ）８２内に形成されたワークエリアに展開し、当該制御プログラムに従って放射線画像検出装置６の各部を制御する。【００４７】
ＲＯＭ８１は、不揮発性の半導体メモリ等により構成され、制御部６０で実行される制御プログラム、各種プログラム及び、対応付け制御部として機能する管理サーバ２の宛先情報及び他のＦＰＤと識別する識別ＩＤ等を記憶する「記憶部」として機能する。【００４８】
ＲＡＭ８２は、制御部６０により実行制御される各種処理において、ＲＯＭ８１から読み出された制御部６０で実行可能な各種プログラム、入力若しくは出力データ、及びパラメータ等を一時的に記憶するワークエリアを形成する。【００４９】
撮像パネル６２は、例えば、ガラス基板等を有しており、基板上の所定位置には、放射線管球９から照射されて少なくとも被写体を透過した放射線をその強度に応じて検出し、検出した放射線を電気信号に変換して蓄積する複数の画素がマトリックス状に配列されている。【００５０】
ここで、撮像パネル６２としては、図示は省略するが、例えば、放射線を蛍光（光）に変換する放射線光変換層と、放射線光変換層により変換された蛍光を検出して電気信号に変換する光電変換層とを備える間接型のもの、また、放射線光変換層及び光電変換層に替えて、放射線を直接電荷に変換する放射線受部を有する放射線電気信号変換層を備える直接型のもの等が挙げられる。なお、間接型のものは直接型のもので用いる高圧電源が不要であるため好ましい。【００５１】
画像記憶部６６は、例えばフラッシュメモリ等の不揮発性メモリやＲＡＭから構成され、撮像パネル６２に蓄積された電気信号が読み取られることにより取得された、複数回分の撮影に相当する放射線画像データを記憶可能となっている。【００５２】
無線通信部８３は、ＩＥＥＥ８０２．１１規格に準拠した無線ＬＡＮにより、アクセスポイント５を介して、コンソール７との間で各種情報の無線通信を行うものである。【００５３】
電源部６７は、放射線画像検出装置６を構成する複数の駆動部（制御部６０、撮像パネル６２、画像記憶部６６など）に電力を供給する。この電源部６７は、例えば予備電池と充電自在な充電池とで構成されており、充電用端子を図示しないクレードルに接続することにより、充電池を充電することが可能である。【００５４】
［対応付け制御１］
ここで、放射線画像撮影システム１における放射線画像検出装置６（以下、ＦＰＤともいう）とコンソール７（制御端末）との対応付けについて、図４乃至図９に基づいて説明する。図４は本実施形態における放射線画像撮影システムのデータの流れを説明する図であり、図５は本実施形態における放射線画像撮影システムの制御フローを説明する図である。なお図４は図１に対応しているが、制御フローの説明に不要な構成については図示を省略している。【００５５】
撮影室１００に移動した後、電源釦をＯＮさせることによりＦＰＤは起動する。起動状態においては、図４に示すとおり、自己のＩＰアドレス（自アドレス）と対応付けを行うコンソールのアドレス（親アドレス）は不明である。管理サーバ２への宛先情報としてのＩＰアドレス（１９２．１６８．０．１７）及び識別ＩＤ（Ａ００１）は予めＦＰＤの記憶部として機能するＲＯＭ８１に記憶されている。なお識別ＩＤとしてＦＰＤの無線通信部８３に付与されているＭＡＣアドレスを用いるようにしてもよい。【００５６】
図５のステップＳ１１では、当該ＦＰＤに設けられた釦を操作者により押された場合、あるいはタイマー等により何らかのトリガが与えられた場合、無線ＬＡＮのアクセスポイント５ａを経由してＤＨＣＰサーバに対してＩＰアドレスの要求を行う。ＤＨＣＰサーバとして機能するルータ９ａでは、ＦＰＤに割り当てるＩＰアドレスを送信する（ステップＳ１２）。なお割り当てるＩＰアドレスはＬＡＮ１のサブネットに属するＩＰアドレス、例えば１９２．１６８．６５．１となる。【００５７】
ＩＰアドレスを割り当てられたＦＰＤはＲＯＭ８１に記憶している宛先情報としてのＩＰアドレスにより管理サーバ２に起動参入の要求の通信を行う（ステップＳ２１、図４の（１））。このとき、管理サーバ２に到達した起動参入の要求のヘッダ情報には、通信情報付加手段としても機能するルータ９により、送信元ＩＰアドレスであるＦＰＤのＩＰアドレス及びルーティング情報すなわち経由したアクセスポイント５ａ並びにルータ９ａのＩＰアドレスが通信情報として付加されている。【００５８】
管理サーバ２では、通信データのヘッダ情報のうち、（１）送信元のＩＰアドレスによりサブネットの判別、あるいは（２）ルーティング情報を元に、どのルータ９を経由して通信データが送信されたのかを判断してＦＰＤと無線通信を行ったアクセスポイント５ａを割り出す。アクセスポイント５ａを割り出すことにより当該アクセスポイント５ａに対応付けられた制御端末として機能するコンソール７ａを選択する（ステップＳ２２）。【００５９】
管理サーバ２では当該コンソール７ａと識別ＩＤ（Ａ００１）を付与されているＦＰＤとを対応付けとして記憶部に登録する（ステップＳ２３）。すなわちコンソールとＦＰＤとの対応付けとは、一つのＦＰＤから送信された画像データを受信するコンソールを決定することである。なお以下においては対応付け関係にあるコンソールとＦＰＤにおいては、当該コンソールはＦＰＤに対しての親コンソールという。【００６０】
管理サーバ２では、登録した対応付け結果を親コンソールであるコンソール７ａに送信する（ステップＳ２４、図４の（２））。親コンソールに送信する情報としては、対応付けられたＦＰＤのＩＰアドレス及び識別ＩＤである。【００６１】
親コンソールでは、確認処理（ステップＳ２５）を行う。図６は、コンソール７の表示部１７の詳細図である。同図に示すように確認処理はステップＳ２４で受信した対応付けられたＦＰＤの情報を表示する。操作者は、登録（対応付け）をしようとするＦＰＤに対応するＦＰＤか否かを、表示部１７に表示した識別ＩＤと使用するＦＰＤの表面等に記載された番号等を突き合わせることにより判断する。登録を行う場合には実行釦１７１を押すことにより次ステップ以降の登録を行う。【００６２】
ステップＳ２６ではコンソールの制御部１４が、ステップＳ２４で送信された対応付け結果をＲＯＭ１６に記憶するとともに対応付け結果をＦＰＤに送信する（図４の（３））。対応付け結果を受信したＦＰＤでは、制御部６０が対応付け結果をＲＯＭ８１に記憶するとともに、確認通知（ａｃｋ）を親コンソールに返信する（ステップＳ２７、図４の（４））。これにより親コンソール及びＦＰＤにはそれぞれ対応付け関係が登録されたことになる（ステップＳ２８、Ｓ２９）。【００６３】
図７は、図５の制御フローに続く制御フローを説明する図であり、放射線撮影及び放射線画像データの流れを示す制御フローである。【００６４】
まずステップＳ３０では、放射線撮影を実施する。放射線撮影の際には、親コンソールから当該親コンソールに登録されているＦＰＤの中から撮影に用いるＦＰＤを選択する。親コンソールと対応する撮影室１００の撮影操作装置４に対して、選択したＦＰＤのＩＰアドレスを送信する。撮影操作装置４とＦＰＤは同じサブネット（例えばＬＡＮ１）に属するので両者間で直接通信が可能である。両者間で通信することにより放射線照射装置３からの放射線照射タイミングと、ＦＰＤの信号取得タイミングを同期させて放射線撮影を実施する。【００６５】
ＦＰＤでは、撮影した放射線画像データを一時的に画像記憶部６６に記憶する。そして一連の撮影が終了した後に、画像記憶部６６に記憶している放射線画像データを、図５の制御フローで対応付けられている親コンソールに送信する（ステップＳ３１）。【００６６】
親コンソールでは受信した放射線画像データを画像記憶部２０に記憶する（ステップＳ３２）。必要に応じて、データベース２１に記憶している撮影感度テーブルから、撮影を行ったＦＰＤの識別ＩＤに対応する撮影感度情報の取得を行い（ステップＳ３３）、取得した撮影感度情報から放射線画像データのゲイン補正あるいはオフセット補正等の補正を行う（ステップＳ３４）。【００６７】
操作者では補正を行った放射線画像データを表示部１７に表示して確認を行い（ステップＳ３５）、撮影が正常に終了したことを確認した上で、終了する。【００６８】
なお、対応付けられたコンソール７とＦＰＤで通信する際に、管理サーバ２等から共通キーを割り当てて、共通キーを確認することにより相互に通信するようにしてもよい。このようにすることにより暗号通信可能なことと、対応付けられていない他のコンソール７からの通信アクセスを防ぐことができる。【００６９】
［移動時の対応付け制御］
次にＦＰＤが電源ＯＮ状態で元の撮影室との対応付けを保持したまま、撮影室を移動した際の移動先のコンソール７との対応付けについて、図８及び図９に基づいて説明する。図８は本実施形態における放射線画像撮影システムのデータの流れを説明する図である。【００７０】
図９は本実施形態における放射線画像撮影システムの制御フローを説明する図である。【００７１】
図８に基づいて撮影室１００ａにあったＦＰＤ６を他の撮影室１００ｂに移動した際の対応付けを説明する。また図９に制御フローにおいては破線領域以外のステップＳ２１以降の制御フローは図５に示した制御フローと同様であり説明は省略する。【００７２】
図９のステップＳ１０では、ＦＰＤは今までとは異なるアクセスポイントと通信しているか否かを判断する。なおＦＰＤでは、移動前の旧アクセスポイント５ａと移動後の新アクセスポイント５ｂそれぞれのとの電波強度の情報を取得し、その比較により現在所属すべきアクセスポイントの判断を行う。なお電波強度の情報は各アクセスポイント５に備えている電波強度測定部での検出情報をＦＰＤ側で取得することにより行う。【００７３】
移動前のアクセスポイント５ａと異なるアクセスポイント５と通信していると判断した場合（ステップＳ１０のＹｅｓ）には、ＤＨＣＰサーバに新たなＩＰアドレスの割り当てを要求し、ＩＰアドレスを取得する（ステップＳ１１）。【００７４】
その後、管理サーバ２に対して旧親コンソール７ａとの対応関係を解消するための切断要求を送信する（ステップＳ１６、図８の（ａ））。管理サーバ２では、送信データに含まれる、コンソール７を特定する情報、例えばＩＰアドレスあるいはコンソールＩＤに基づいて、旧コンソールを特定し、特定した旧コンソール７ａに対して対応付け解除指令を送信する（ステップＳ１７、図８の（ｂ））。【００７５】
対応付け解除指令を受信した旧コンソール７ａでは、解除指令に含まれている識別ＩＤに基づき対応するＦＰＤの登録を解除する（ステップＳ１８）。以降は図５に示した制御フローと同様なので説明は省略する。【００７６】
なお、対応付けが終了した時点で、移動先コンソールは、必要に応じて管理サーバから撮影感度情報を撮影に先立ってコピーしておき、撮影の際に迅速な画像補正が行えるようにしておいてもよい。【００７７】
また、ＦＰＤがＯＦＦ状態で撮影室を移動した場合は、前述の［対応付け制御１］で説明できる。【００７８】
なお、ＦＰＤの登録を解除（対応付けの解除）について、ＦＰＤからの解除要求により行う例について説明したがこれに限られず、以下のいずれかにより行うようにしてもよい。
（１）登録ＦＰＤから、定期的な通信応答がない場合。タイムアウトにより登録を解除する。
（２）コンソールから登録ＦＰＤに通信しても返答がない場合。
（３）登録ＦＰＤと（当該コンソールと対応する）アクセスポイント間の電波強度が所定の強度以下であるという情報を受信した場合。
（４）操作者によりコンソールの入力操作部１８から登録解除の入力指示が行われた場合。なおこの場合には対応するＦＰＤに登録解除指令を送信するようにした方が好ましい。【００７９】
以上のように図１乃至図９に示す放射線画像撮影システムとすることにより、無線通信部を設けた可搬型のＦＰＤを用いる放射線画像撮影システムにおいて、撮影室間を移動する際にＦＰＤとコンソールとの対応付けを容易に変更可能な放射線画像撮影システムを得ることが可能となる。また撮影した放射線画像データが意図しないコンソールに送信されることにより患者に対応する放射線画像の取り違えを防止することが可能となる。【００８０】
また、本実施の形態によれば、送信元のＩＰアドレスあるいはルーティング情報を元に、どのルータを経由して通信データが送信されたのかを判断して、ＦＰＤと無線通信を行ったアクセスポイント５ａを割り出すことでＦＰＤの使用されている撮影室を判別するものである。そして、当該アクセスポイント５ａに予め対応付けられたコンソール７ａを選択してＦＰＤとコンソール７ａの対応付けを行い、ＦＰＤで取得した画像データが対応付けされたコンソール７ａ、すなわちＦＰＤの使用されている撮影室に最寄りのコンソール７ａに送信されるので、撮影後の画像確認を効率よく行うことができる。【００８１】
また、本実施の形態によれば、移動前の旧アクセスポイント５ａと移動後の新アクセスポイント５ｂそれぞれのとの電波強度の情報を取得し、その比較により現在所属すべきアクセスポイントの判断を行うので移動したことを判断して、それにともなう対応付けを容易に行うことができる。【００８２】
また本実施の形態によれば、撮影を行ったＦＰＤの識別ＩＤに対応する撮影感度情報の取得を行い、取得した撮影感度情報から放射線画像データのゲイン補正あるいはオフセット補正等の補正を行うのでＦＰＤ固有の特性ばらつきに依存せずに安定した放射線画像データを得ることができる。
【図１】
2009031411.tif 000003
【図２】
2009031411.tif 000004
【図３】
2009031411.tif 000005
【図４】
2009031411.tif 000006
【図５】
2009031411.tif 000007
【図６】
2009031411.tif 000008
【図７】
2009031411.tif 000009
【図８】
2009031411.tif 000010
【図９】
2009031411.tif 000011
【国際調査報告】
2009031411.tif 000012
2009031411.tif 000013
2009031411.tif 000014
2009031411.tif 000015